(57)【要約】【課題】  ゴルフスイング時の適正な軸周りの安定した回転運動と適切な人体の体重移動とを容易に養うことができるゴルフ練習用具を提供する。【解決手段】  使用者の両足下に配置される左右一組の用具本体１からなり、各用具本体１が次のように構成されている。すなわち、硬質の板状をした芯材１０で底部を形成する。用具本体１の移動を抑制する摩擦材６０を、芯材１０の底面に設ける。芯材１０の上に、弾力性を有するクッション層２０を設ける。クッション層２０の上に、粘弾性を有するゲル層３０を設ける。ゲル層３０の側面周囲に、ゲル層３０の広がりを抑制する枠材４０を設ける。そして、クッション層２０、ゲル層３０及び枠材４０の周囲を被覆材５０で被覆する。【選択図】      図１
2015077323.tif 000002
【特許請求の範囲】
【請求項１】
使用者の両足下に配置される左右一組の用具本体からなり、各用具本体が次の（ａ）〜（ｆ）の構成を備えたことを特徴とするゴルフ練習用具。
（ａ）硬質の板状をした芯材で底部を形成する。
（ｂ）用具本体の移動を抑制する摩擦材を、前記芯材の底面に設ける。
（ｃ）前記芯材の上に、弾力性を有するクッション層を設ける。
（ｄ）前記クッション層の上に、粘弾性を有するゲル層を設ける。
（ｅ）前記ゲル層の側面周囲に、ゲル層の広がりを抑制する枠材を設ける。
（ｆ）前記クッション層、ゲル層及び枠材の周囲を被覆材で被覆する。
【請求項２】
請求項１のゴルフ練習用具において、さらに次の（ｇ）〜（ｊ）の構成を備えたことを特徴とするゴルフ練習用具。
（ｇ）前記クッション層は、軟質発泡ウレタン材で形成してある。
（ｈ）前記ゲル層は、常温で粘弾性を有し流動性は有さないゲル材料で形成してある。
（ｉ）体重４０〜８０ｋｇで足長サイズ２４．０〜２８．０ｃｍの使用者が前記各用具本体に両足を載せて立ったとき、前記クッション層及びゲル層が前記使用者から受ける荷重により沈み込んだ状態で、当該使用者の足底に位置する用具本体の高さ寸法が１〜２ｃｍとなるように調整してある。
（ｊ）前記被覆材の上面は、平坦な足形をした足載せ面と、この足載せ面の周囲に設けた平坦な周囲面とに区分けしてある。
【発明の詳細な説明】
【技術分野】
【０００１】
この発明は、ゴルフスイング時の適切な人体の体重移動と回転軸（以下、「軸」と称することもある）の安定を養うためのゴルフ練習用具に関する。
【背景技術】
【０００２】
ゴルフの上達には、スイング時の正しい体重移動と軸の安定を身につけることが欠かせない。しかし、この体重移動は指導者が身振り手振りで指導してもなかなか練習者には理解できず、多くの指導者、練習者が歯がゆい思いをしている。
特許文献１には、このようなゴルフスイング時の体重移動の課題に着目したゴルフ練習用具が開示されている。同文献１に開示されたゴルフ練習用具は、半円柱状の弾性部材（具体的にはゴム）で構成されている。そして、同文献１の記載によると、練習者がこの弾性部材を踏んだ状態でゴルフスイングをしたとき、体重移動に伴い弾性部材からの反発力は変化し、その反発力の変化をもって体重移動を感じ取ることができるらしい。
【０００３】
しかし、ゴルフスイングの過程で複雑に変化する体重移動を、弾性部材からの反発力の変化で感じようとしても、きわめて漠然とした感覚でしか感じることはできない。しかも、正しい体重移動のときに弾性部材からどのような反発力が返ってくるのかを練習者に理解させることも容易ではない。ゆえに、かかるゴルフ練習用具を使用しても、練習者がゴルフスイング時の正しい体重移動を身につけることは困難と思われる。
【先行技術文献】
【特許文献】
【０００４】
【特許文献１】特開２０１２−２２３３６４号公報
【発明の概要】
【発明が解決しようとする課題】
【０００５】
本発明はこのような事情に鑑みてなされたもので、ゴルフスイング時の適正な軸周りの安定した回転と、適切な人体の体重移動を容易に養うことができるゴルフ練習用具の提供を目的とする。
【課題を解決するための手段】
【０００６】
上記目的を達成するために、本発明のゴルフ練習用具は、使用者の両足下に配置される左右一組の用具本体からなり、各用具本体が次の（ａ）〜（ｆ）の構成を備えたことを特徴とする。
（ａ）硬質の板状をした芯材で底部を形成する。
（ｂ）用具本体の移動を抑制する摩擦材を、芯材の底面に設ける。
（ｃ）芯材の上に、弾力性を有するクッション層を設ける。
（ｄ）クッション層の上に、粘弾性を有するゲル層を設ける。
（ｅ）ゲル層の側面周囲に、ゲル層の広がりを抑制する枠材を設ける。
（ｆ）クッション層、ゲル層及び枠材の周囲を被覆材で被覆する。
【０００７】
ゴルフスイングの過程で、体の体重を左右へ適切に移動させる必要があることはよく知られている。この体重移動はスイングにおける体の回転運動に対応して行われ、適切に体重移動が行われたときは、体の回転運動と相俟って、ぶれることのない安定したスイング姿勢を終始保つことができる。
本発明のゴルフ練習用具は、用具本体の内部にゲル層が設けてあり、このゲル層は作用する荷重の変化に伴い柔軟に変形する。したがって、用具本体の上に載って使用者がゴルフスイングをしたとき、使用者の回転運動と体重移動に伴いゲル層への荷重作用が変化するため、当該ゲル層が変形し、使用者の体を用具本体の上で水平移動させる。このような水平移動が生じても、適切な体重移動が行われていればその水平移動に体が追従して、身体のバランスを崩すことなく安定したスイングを行うことができる。一方、体重移動が不適切な場合は、ゲル層の変形による水平移動に対して体が追従できず、身体のバランスを崩してしまう。
また、ゴルフスイングは回転運動であり、適正なスイングをするには軸（回転軸）をしっかり作り且つ安定させることが大変重要になる。用具本体の上に載って使用者がゴルフスイングをしたとき、この軸が作れていなかったり安定していない場合にも使用者はバランスを崩してしまう。
そこで、使用者は用具本体の上に載ってゴルフスイングを行い、身体のバランスを崩すことなく安定したスイングができるように練習するだけで、自然に適正なゴルフスイングの軸が作られ、その軸がぶれることなく安定し、そして体の回転運動に合致した適切な体重移動を身につけることができる。
なお、本明細書において、体重移動は重心移動も含む概念として捉えている。すなわち本発明によれば、適切な重心移動も身につけることが可能となる。
【０００８】
本発明のゴルフ練習用具は、さらに次の（ｇ）〜（ｊ）の構成を備えることが好ましい。（ｇ）クッション層は、軟質発泡ウレタン材で形成してある。
（ｈ）ゲル層は、常温で粘弾性を有し流動性は有さないゲル材料で形成してある。
（ｉ）体重４０〜８０ｋｇで足長サイズ２４．０〜２８．０ｃｍの使用者が各用具本体に両足を載せて立ったとき、クッション層及びゲル層が使用者から受ける荷重により沈み込んだ状態で、当該使用者の足底に位置する用具本体の高さ寸法が１〜２ｃｍとなるように調整してある。
（ｊ）被覆材の上面は、平坦な足形をした足載せ面と、この足載せ面の周囲に設けた平坦な周囲面とに区分けしてある。
【０００９】
上記の「体重４０〜８０ｋｇで足長サイズ２４．０〜２８．０ｃｍの使用者」は、ゴルフを行う一般的な人物（男女）を使用者として想定したものである。このような条件の使用者を載せた状態で、使用者の足底に位置する用具本体の高さ寸法が１〜２ｃｍとなるように調整することで、靴を脱いで用具本体に載ったときに、靴底の厚さ（ヒール高さを除く）と同程度の高さ（すなわち、１〜２ｃｍ）が用具本体によって確保され、ボール位置に対して実際にプレイするときに近い距離感をもって練習を行うことができる。
本発明のゴルフ練習用具は、靴を履いたまま使用することもできるが、靴を脱いで使用することで用具本体の損耗も低減できるため耐用期間を大幅に延長することができる。
【００１０】
また、被覆材の上面に足形をした足載せ面を形成することで、この足載せ面から外に出てしまうか否かの簡単な判断基準をもって、適正な軸周りにぶれることなく適切な体重移動をして正しいゴルフスイングができたか否かを、使用者自身で容易且つ明確に判断することが可能となる。
【発明の効果】
【００１１】
以上説明したように、本発明のゴルフ練習用具によれば、使用者は用具本体の上に載ってゴルフスイングを行い、身体のバランスを崩すことなく安定したスイングができるように練習するだけで、自然に適正なゴルフスイングの軸が作られ、その軸がぶれることなく安定し、そして体の回転運動に合致した適切な体重移動を身につけることができる。
【図面の簡単な説明】
【００１２】
【図１】本発明の実施形態に係るゴルフ練習用具の外観を示す斜視図である。
【図２】本発明の実施形態に係るゴルフ練習用具を構成する用具本体の正面図である。
【図３】本発明の実施形態に係るゴルフ練習用具を構成する用具本体の平面図である。
【図４】本発明の実施形態に係るゴルフ練習用具を構成する用具本体の底面図である。
【図５】本発明の実施形態に係るゴルフ練習用具を構成する用具本体の背面図である。
【図６】本発明の実施形態に係るゴルフ練習用具を構成する用具本体の左側面図である。
【図７】本発明の実施形態に係るゴルフ練習用具を構成する用具本体の右側面図である。
【図８】本発明の実施形態に係るゴルフ練習用具を構成する用具本体の内部構造を示す縦断面図である。
【図９】本発明の実施形態に係るゴルフ練習用具を構成する用具本体の内部構造を示す横断面図である。
【図１０】本発明の実施形態に係るゴルフ練習用具の使用例を示す斜視図である。
【発明を実施するための形態】
【００１３】
以下、この発明の実施の形態について図面を参照して詳細に説明する。
本実施形態に係るゴルフ練習用具は、図１に示すように左右１組の用具本体１からなり、各用具本体１は同じ構成となっている（図２〜図７参照）。各用具本体１は、ゴルフスイングに際して使用者（練習者）がとるスタンスに合わせて使用者の両足下に配置される。使用者は、図１０に示すように各用具本体１の上に左右の足を載せ、各用具本体１の上でゴルフスイングを行うことにより、適正な軸周りの安定した回転と適切な体重移動を養うことが可能となる。
【００１４】
各用具本体１は、図８に示すように硬質の板状をした芯材１０で底部が形成してあり、その上面に弾力性を有するクッション層２０が積層して設けられ、さらにクッション層２０の上面に粘弾性を有するゲル層３０が積層して設けられている。また、ゲル層３０の側面周囲には、図９に示すように枠材４０が設けてあり、この枠材４０によってゲル層３０の側方への広がりを抑制している。これらクッション層２０、ゲル層３０及び枠材４０の周囲は被覆材５０で被覆してあり、被覆材５０の端縁は芯材１０と重ね合わせて縫製されている。また、芯材１０の底面には、使用中の用具本体１の移動を抑制するための摩擦材６０が貼り付けてある。なお、図８に示す断面図において、被覆材５０及び摩擦材６０は他の構成要素に比べて薄いために描画を省略し、存在部位に符号のみを付してある。同様に、図９に示す断面図においても、被覆材５０は描画を省略し、存在部位に符号のみを付してある。
【００１５】
芯材１０は、使用者が用具本体１の上でゴルフスイングをした際に、用具本体１が受ける外力によって容易に捲れ上がってしまわない程度の硬さを有した硬質の板状材料で形成することが好ましい。このような特性を有する板状材料としては、例えば、フェルト材を圧縮して板状に成形してなるポリプロピレン硬質フェルトが好適である。
また、この芯材１０の底面に貼り付ける摩擦材６０は、使用者が用具本体１の上でゴルフスイングをした際に、用具本体１を配置した床面や地面などの配置面との間に大きな摩擦力を生じて用具本体１の移動を抑制できる材料で形成してある。摩擦材６０としては、例えば、耐久性に優れる塩化ビニル合成皮革が好適である。
【００１６】
クッション層２０は、圧縮荷重に対して弾性的に変形し、当該圧縮荷重が取り除かれるともとの形状に復元する特性のある材料を用いて形成してある。このクッション層２０に好適な材料としては、例えば、軟質ウレタンフォームなどの軟質発泡材がある。
【００１７】
ゲル層３０は、流動性は有しないが、荷重の作用に対して粘弾性をもって柔軟に変形し、当該荷重が取り除かれるともとの形状に緩やかに復元する特性のあるゲル材料を用いて形成してある。このゲル層３０に好適な材料としては、例えば、本出願人が製造販売しているエクスジェル（商標名）と称するゲル材料がある。このゲル材料は、常温では粘度が高まって粘弾性を有するが、流動性はほとんど有さないという特性を備えている。具体的には、常温で引張伸びが１０００〜２０００％程度あり、１０００％引張強度が１×１０４〜４×１０４Ｐａ、２０００％引張強度が１×１０５〜４×１０５Ｐａ程度の伸縮性を有している。また、硬度はアスカーＦ硬度で１０〜１００Ｆ程度となっている。
【００１８】
枠材４０は、ゲル層３０の側面周囲に設けられ、その内側にゲル層３０を形成するゲル材料を留め置くための構成部材であり、角棒状の弾力性のある材料を使用し、底面をクッション層２０に接着してある。この枠材４０に好適な材料としては、例えば、独立発砲ゴムがある。ゲル層３０は、この枠材４０の内側で荷重の作用に対して粘弾性をもって柔軟に変形する。
この枠材４０が無ければ、ゲル層３０の変形を被覆材５０で抑制しなければならないが、後述するとおり被覆材５０は柔軟な材質であるため、ゲル層３０が必要以上に変形（水平移動）してしまい、適正な軸周りのスイングと適正な体重移動が行われている使用者もバランスを崩してしまうおそれがある。したがって、枠材４０は、適正な軸周りに安定したスイングができ且つ適正な体重移動ができている使用者と、それらができていない使用者とを区分けできるようにするための重要な構成要素である。この枠材４０によりゲル層３０の側面周囲が固められているために、ゲル層３０の外力作用に伴う変形量（水平移動量）の微調整を容易に行うことが可能となる。
【００１９】
被覆材５０は、ゲル層３０の変形に追従できる柔軟性と充分な強度とを有する合成皮革、合成ゴム、合成樹脂フィルムなどの材料を用いることが好ましい。
【００２０】
各用具本体１は、体重４０〜８０ｋｇで足長サイズ２４．０〜２８．０ｃｍの使用者が各用具本体１に両足を載せて立ったとき、クッション層２０及びゲル層３０が使用者から受ける荷重により沈み込んだ状態で、当該使用者の足底に位置する用具本体１の高さ寸法が１〜２ｃｍとなるように調整してある。
【００２１】
本発明は、既述したように、ゴルフを行う一般的な人物が体重４０〜８０ｋｇで足長サイズ２４．０〜２８．０ｃｍであることに着目し、このような条件の使用者を載せた状態で、使用者の足底に位置する用具本体１の高さ寸法が１〜２ｃｍとなるように調整してある。ゴルフシューズのヒールを含まない靴底の厚さは、一般に１〜２ｃｍ程度である。使用時の用具本体１の高さをこの靴底の厚さと同程度に調整することで、使用者が靴を脱いで用具本体１に載ったときに、ボール位置に対して実際にプレイするときに近い距離感をもって練習を行うことができる。また、使用者が靴を脱いで練習することで、用具本体１に対する当たりがソフトになるため、用具本体１の損耗が低減されて耐用期間を大幅に延長することができる。しかも、ゴルフスイングの後に使用者がバランスを崩して用具本体１から落ちても、１〜２ｃｍ程度の高さであれば衝撃は小さく、転倒するおそれも少ないため、身体の安全を確保することができる。
【００２２】
上述した用具本体１の厚さ調整は、実際にボールを打って練習するとき特に効果的であるが、本実施形態のゴルフ練習用具はボールを打たずゴルフスイングだけで練習することもできる。
【００２３】
さて、使用者が用具本体１の上に載ったとき、その荷重作用により変形するのはクッション層２０とゲル層３０である。ここで、クッション層２０は荷重作用に対して自らが圧縮して変形する。一方、ゲル層３０は荷重が作用した領域（使用者の足底が置かれた領域）が沈み込んだ体積だけ、その周囲に移動するため、周囲の体積が増えて被覆材５０を上方に膨出させる。このクッション層２０の圧縮量と、ゲル層３０の沈み込み量の総和が、用具本体１の厚さの変化量となる。
使用者が載っていない状態での用具本体１の高さ寸法、クッション層２０の高さ寸法及びゲル層３０の高さ寸法は、クッション層２０の圧縮量とゲル層３０の沈み込み量を考慮しながら、いずれも任意の設定することができる。
【００２４】
本発明者による試作実験では、使用者が載っていない状態での用具本体１の高さ寸法を２５ｍｍ程度で、クッション層２０及びゲル層３０の高さをいずれも１０ｍｍとし、使用者が載ったときにクッション層２０が５〜７ｍｍ程度圧縮され、且つゲル層３０が２〜３ｍｍ程度沈み込み、使用者の足底に位置する用具本体１の高さ寸法が１５〜１８ｍｍとなるように調整した。
【００２５】
この試作品を用いてゴルフの熟達者に練習を行ってもらったところ、恐怖感もなく適度にゲル層３０が水平移動してゴルフスイングを行うことができた。同様に、この試作品を用いてゴルフの初心者に練習を行ってもらったところ、ゲル層３０の水平移動によって身体のバランスを崩してしまった。この結果の違いは、ゴルフスイングに際して、適正な軸周りの安定した回転運動と適切な体重移動とができているか否かの違いに他ならない。なお、身体のバランスを崩した初心者も、恐怖感を感じることはなかった。
【００２６】
すなわち、用具本体１の上に載って使用者がゴルフスイングをしたとき、使用者の回転運動と体重移動に伴いゲル層３０への荷重作用が変化するため、当該ゲル層３０が変形し、使用者の体を用具本体１の上で水平移動させる。このような水平移動が生じても、適正な軸周りの安定した回転運動と適切な体重移動とが行われていればその水平移動に体が追従して、身体のバランスを崩すことなく安定したスイングを行うことができる。一方、適正な軸が作れていなかったり、回転運動に際して軸がぶれたり、体重移動が不適切であった場合は、ゲル層３０の変形による水平移動に対して体が追従できず、身体のバランスを崩してしまう。
【００２７】
使用者は用具本体１の上に載ってゴルフスイングを行い、身体のバランスを崩すことなく安定したスイングができるように練習するだけで、自然に適正なゴルフスイングの軸が作られ、その軸がぶれることなく安定し、そして体の回転運動に合致した適切な体重移動を身につけることができる。
【００２８】
被覆材５０の上面は、平坦な足形をした足載せ面５１と、この足載せ面５１の周囲に設けた平坦な周囲面５２とに区分けしてある。足載せ面５１は、ゴルフを行う一般的な人物の足長サイズ２４．０〜２８．０ｃｍを基準にして、これらの人物が足を載せることができる面積を確保している。
ゴルフスイングをした際に、適正な軸が作られていなかったり、軸がぶれたり、適切な体重移動ができていなかった使用者は、身体のバランスを崩して、足が足載せ面５１から外に出てしまう。一方、適正な軸周りにぶれることなく安定した回転運動と適切な体重移動ができていれば、身体のバランスを崩すことなく、足が足載せ面５１から外に出ることもない。このように、足が足載せ面５１から外に出てしまうか否かの簡単な判断基準をもって、適正な軸周りの安定した回転運動と適切な体重移動とが行われたか否かを、使用者自身で容易且つ明確に判断することができる。
【００２９】
なお、本発明は上述した実施形態に限定されるものではなく、発明の要旨を逸脱しない範囲で種々変形実施又は応用実施が可能であることは勿論である。
例えば、芯材１０、クッション層２０、ゲル層３０、枠材４０、被覆材５０、摩擦材６０の各構成要素は、上述した具体的な材料に限定されるものではなく、それらの材料と代替できる種々の材料で形成することが可能である。さらに、必要に応じて他の構成要素を付加することも可能である。
また、被覆材５０の上面は、足載せ面５１とその周囲面５２に区分けせず、単純な平坦面としてもよい。
【符号の説明】
【００３０】
１：用具本体、１０：芯材、２０：クッション層、３０：ゲル層、４０：枠材、５０：被覆材、５１：足載せ面、５２：周囲面、６０：摩擦材
【図１】
2015077323.tif 000003
【図２】
2015077323.tif 000004
【図３】
2015077323.tif 000005
【図４】
2015077323.tif 000006
【図５】
2015077323.tif 000007
【図６】
2015077323.tif 000008
【図７】
2015077323.tif 000009
【図８】
2015077323.tif 000010
【図９】
2015077323.tif 000011
【図１０】
2015077323.tif 000012